(57)【要約】【課題】制御要求に対する異常発生の原因を特定することのできる照明制御システムを提供する。【解決手段】照明制御システム１は、照明統合装置４による制御要求、監視端末器７による制御要求および主制御装置２に設定された照明制御プログラムによる制御要求に応じて制御端末器６を制御する制御手段１１〜１３と、制御手段１１〜１３により制御された制御端末器６の動作状態を確認する制御確認手段１４と、制御手段１１〜１３により制御された制御端末器６の制御要求元、制御端末器先、制御要求の内容および動作状態を時系列的に記憶する記憶手段１５を具備している。【選択図】図２
2005267924.tif 000002
【特許請求の範囲】
【請求項１】
システム全体を統括管理する照明統合装置と；
照明統合装置に通信線により接続され、伝送線を介して制御端末器および監視端末器が接続されている主制御装置と；
主制御装置に設けられ、照明統合装置による制御要求、監視端末器による制御要求および主制御装置に設定された照明制御プログラムによる制御要求に応じて制御端末器を制御する制御手段と；
制御手段により制御された制御端末器の動作状態を確認する制御確認手段と；
制御手段により制御された制御端末器の制御要求元、制御端末器先、制御要求の内容および動作状態を時系列的に記憶する記憶手段と；
を具備していることを特徴とする照明制御システム。
【請求項２】
主制御装置は、記憶手段に記憶された制御要求元、制御端末器先、制御要求の内容、動作状態および日時を表示する表示手段を具備していることを特徴とする請求項１記載の照明制御システム。
【発明の詳細な説明】
【技術分野】
【０００１】
本発明は、照明ランプの点消灯を制御する照明制御システムに関する。
【背景技術】
【０００２】
ホストコンピュータから送出される制御要求等のイベント情報を主制御装置に送出し、主制御装置は、当該イベント情報を順次記憶し、各種のタスクが実行される毎に、内部のメモリの状態変化をメンテナンスデータとして、更新して記憶する照明制御システムが提案されている（例えば、特許文献１参照。）。この従来技術の照明制御システムは、異常が発生した時に、ホストコンピュータまたは設定器から主制御装置のメンテナンスデータを取り込んで、ＣＲＴ画面に表示させたり、プリンタに印字させたりして、異常時の原因解析をする。すなわち、ホストコンピュータから送出したイベント情報に対して制御端末器が正常に動作しなかったときに異常原因が解析される。
【特許文献１】特開平８−９８２６６号公報（第３頁、第２図）
【発明の開示】
【発明が解決しようとする課題】
【０００３】
制御端末器は、ホストコンピュータからのイベント情報の他に、壁スイッチなどの監視端末器や主制御装置に予め設定されたタイムスケジュール制御などにより制御されている。
【０００４】
特許文献１は、ホストコンピュータからのイベント情報に対する各種タスクの実行やメモリの状態変化等をメンテナンスデータとして記録し、制御端末器が動作しない等の異常が発生した時に、そのデータを参照して解析するので、ホストコンピュータからのイベント情報以外のイベント情報に対する原因解析が困難であるいう欠点を有する。また、メンテナンスデータには、制御要求に対する制御端末器の動作状態が記録されないので、原因解析に手間を要するという欠点を有する。
【０００５】
本発明は、制御要求に対する異常発生の原因を特定することのできる照明制御システムを提供することを目的とする。
【課題を解決するための手段】
【０００６】
請求項１に記載の照明制御システムの発明は、システム全体を統括管理する照明統合装置と；照明統合装置に通信線により接続され、伝送線を介して制御端末器および監視端末器が接続されている主制御装置と；主制御装置に設けられ、照明統合装置による制御要求、監視端末器による制御要求および主制御装置に設定された照明制御プログラムによる制御要求に応じて制御端末器を制御する制御手段と；制御手段により制御された制御端末器の動作状態を確認する制御確認手段と；制御手段により制御された制御端末器の制御要求元、制御端末器先、制御要求の内容および動作状態を時系列的に記憶する記憶手段と；を具備していることを特徴とする。
【０００７】
本発明および以下の発明において、特に言及しない限り、各構成は以下による。
【０００８】
照明制御プログラムによる制御要求は、任意に設定可能な時刻によって制御端末器が制御されるタイムスケジュール制御および固定された時刻によって制御端末器が制御される定刻制御を包含する。
【０００９】
制御端末器の動作状態の確認は、制御確認手段より確認信号を制御端末器に送出して行ってもよく、制御された制御端末器からの送出信号によってもよい。
【００１０】
記憶手段は、メモリの他、磁気ディスクや光ディスクなどの記憶媒体を許容する。
【００１１】
主制御装置は、照明統合装置、制御端末器および監視端末器と、それぞれ通信線、伝送線で接続されず、無線で接続されていてもよい。
【００１２】
本発明によれば、照明統合装置による制御要求、監視端末器からの制御要求および照明制御プログラムによる制御要求などに応じて制御手段が制御端末器を制御すると、制御確認手段により当該制御端末器の動作確認が行われ、制御要求元、制御端末器先、制御要求の内容および制御端末器の動作状態などが時系列的に記憶手段に記憶される。
【００１３】
請求項２に記載の照明制御システムの発明は、請求項１記載の照明制御システムにおいて、主制御装置は、記憶手段に記憶された制御要求元、制御端末器先、制御要求の内容、動作状態および日時を表示する表示手段を具備していることを特徴とする。
【００１４】
本発明によれば、制御手段が制御端末器を制御したときに記憶手段に記憶された制御要求元、制御端末器先、制御要求の内容および制御端末器の動作状態などを日時とともに主制御装置の表示手段に表示させることができる。
【発明の効果】
【００１５】
請求項１の発明によれば、異常発生時に、記憶手段に記憶された制御要求元、制御端末器先、制御要求の内容および動作状態などを読み出し、制御要求の内容に対する動作状態を確認することにより、異常の原因を容易に特定することができ、その結果、異常事態に対する対策を直ちに行うことができる。
【００１６】
請求項２の発明によれば、異常発生時に、主制御手段の表示手段に制御要求元、制御端末器先、制御要求の内容および動作状態などを日時とともに表示できるので、当該表示を目視して解析することによって異常原因を容易に特定することができる。
【発明を実施するための最良の形態】
【００１７】
以下、本発明の一実施の形態について、図面を参照して説明する。
【００１８】
図１〜図５は、本発明の一実施の形態を示し、図１は照明制御システムのブロック図、図２は主制御装置のブロック図、図３は表示画面に表示されたイベント情報の表示図、図４は表示画面の画面分割図、図５は表示画面のドロップダウンメニュー図である。
【００１９】
図１において、照明制御システム１は、複数個の主制御装置２が通信線３により照明統合装置４に接続され、それぞれの主制御装置２は、伝送線５により複数個の制御端末器６および監視端末器としての壁スイッチ７に接続されている。そして、それぞれの制御端末器６には、少なくとも１つの照明器具８が接続されている。
【００２０】
照明器具８は、少なくとも１本の照明ランプ９を配設している。そして、制御端末器６は、アドレスを有し、伝送線５を介して主制御装置２または照明統合装置４から伝送された制御信号に応じて照明器具８に配設されている照明ランプ９をオン／オフするように構成されている。また、壁スイッチ７は、伝送線５に複数個が接続され、それぞれアドレスを有し、照明ランプ９を強制的にオン／オフさせる信号を主制御装置２に送出するように構成されている。そして、主制御装置２は、当該信号に応じて照明ランプ９をオン／オフする制御信号を制御端末器６に伝送する。壁スイッチ７は、制御端末器６を個別に制御させ、あるいはゾーン別に制御させる。
【００２１】
照明統合装置４は、システム全体を統括管理するものであり、例えば図示しない手動スイッチにより、個別にまたはゾーン別に、照明ランプ９をオン／オフさせる制御信号を主制御装置２に送出して、照明器具８の照明ランプ９を点消灯させることができるように構成されている。
【００２２】
そして、主制御装置２は、制御端末器６（照明ランプ９）を監視制御するものであり、図２に示すように、通信処理部１０、制御手段としての制御監視処理部１１、タイムスケジュール制御処理部１２および定刻制御処理部１３、制御確認手段としての履歴管理処理部１４、記憶手段としての記憶媒体１５、対話処理部１６および表示手段としての表示部１７を有して構成されている。
【００２３】
通信処理部１０は、壁スイッチ７または照明統合装置４からの制御要求（制御信号）が入力され、当該制御要求を制御監視処理部１１に送出するとともに、制御監視処理部１１、タイムスケジュール制御処理部１２および定刻制御処理部１３からのそれぞれの制御要求（制御信号）を制御端末器６に伝送線５を介して伝送するように構成されている。
【００２４】
制御監視処理部１１は、ＣＰＵ、ＲＡＭおよびプログラムが格納されたＲＯＭなどを有して構成されている。そして、壁スイッチ７からの制御要求または照明統合装置４からの制御要求あるいは主制御装置２に設けられた操作スイッチ（図示しない。）からの制御要求に応じて、アドレスを有する制御信号を演算生成し、当該制御信号を通信処理部１０から制御端末器６に送出する。
【００２５】
タイムスケジュール制御処理部１２は、予め設定された時刻になると、照明制御する制御端末器６に対して、照明ランプ９を点灯または消灯あるいは調光させる制御要求（制御信号）を通信処理部１０から当該制御端末器６に送出させる。ここで、前記時刻は、設定部（図示しない。）で任意に設定され、不揮発性のメモリ部（図示しない。）に記憶されている。また、時刻は、日時分秒を計時する計時部（図示しない。）から入力される。
【００２６】
定刻制御処理部１３は、固定された時刻（定刻）になると、照明制御する制御端末器６に対して、照明ランプ９を点灯または消灯あるいは調光させる制御要求（制御信号）を通信処理部１０から当該制御端末器６に送出させる。ここで、前記定刻は、当初に固定されて変更ができない時刻であり、不揮発性のメモリ部に記憶されている。また、時刻は、計時部から入力される。
【００２７】
タイムスケジュール制御処理部１２から送出される制御要求および定刻制御処理部１３から送出される制御要求は、主制御装置２に設定された照明制御プログラムによる制御要求となっている。
【００２８】
履歴管理処理部１４は、制御監視処理部１１、タイムスケジュール制御処理部１２および定刻制御処理部１３から制御要求が送出されて制御端末器６が制御されたときに、通信処理部１０から当該制御端末器６に動作状態を確認する確認信号を送出し、制御端末器６から当該確認信号に対する結果を受信するように構成されている。すなわち、前記制御要求が点灯信号のとき制御端末器６が照明ランプ９を正常に点灯させているか否か、消灯信号のとき照明ランプ９を消灯させているか否か等の動作状態の確認を行う。そして、制御端末器６が制御された年月日および時分秒とともに、制御要求元、制御端末器先、制御要求の内容および動作状態、さらに動作状態の正常、異常を時系列的に記憶媒体１５に記憶させるように構成されている。
【００２９】
制御要求元は、制御管理処理部１１において制御要求が処理された複数個のそれぞれの壁スイッチ７、照明統合装置４および主制御装置２に設けられた操作スイッチやタイムスケジュール制御処理部１２、定刻制御処理部１３などである。制御端末器先は、個別の制御端末器６のアドレスおよびゾーン別の制御端末器６のアドレスとすることができる。また、制御要求の内容および動作状態は、照明ランプ９の点灯、消灯、調光とすることができる。また、動作状態の正常、異常は、例えば制御要求が点灯（消灯）のとき照明ランプ９が点灯（消灯）しているとき正常であり、照明ランプ９が消灯（点灯）しているとき異常である。
【００３０】
また、履歴管理処理部１４は、さらに設定部から設定した時刻や定刻なども記憶媒体１５に記憶させる。
【００３１】
記憶媒体１５は、例えば磁気ディスクからなり、主制御装置２に着脱可能に配設されている。
【００３２】
対話処理部１６は、外部からの履歴表示要求に応じて、履歴管理処理部１４に対して記憶媒体１５に記憶されている制御要求元、制御端末器先、制御要求の内容、動作状態および制御要求した日時などを読み出させ、外部の表示装置（図示しない。）または主制御装置２に設けられている表示部１７に送出するように構成されている。
【００３３】
表示部１７は、例えば液晶画面を有し、履歴表示要求に応じて、図３に示すように、記憶媒体１５に記憶されている制御要求元、制御端末器先、制御要求の内容、動作状態および制御要求した日時などを表示するように構成されている。
【００３４】
図３において、日時は、日付時刻の欄に、年月日、時分秒が表示されている。制御内容の欄には、制御要求先であるアドレス等および制御要求の内容である点灯、消灯が表示されている。イベントの欄には、制御要求元が表示されている。また、動作状態の欄には、制御端末器６が照明ランプ９を制御している状態である点灯、消灯が表示されている。また、動作結果の欄には、制御要求の内容に応じて照明ランプ９が制御されているか否かの正常、異常が表示されている。
【００３５】
そして、例えば、壁スイッチ７の点灯操作を行っても、当該壁スイッチ７に割り当てられている照明ランプ９が点灯しないことや、予め設定された時刻や定刻に照明ランプ９が点灯または消灯しないなど、異常が発生したとき、図３に示すように、記憶媒体１５から異常が発生したと推測される日時付近の制御要求元、制御端末器先、制御要求の内容、動作状態などを読み出させ、表示部１７の表示画面に表示させる。そして、表示画面を視認する。
【００３６】
そして、例えば、壁スイッチ（３１）７が消灯操作されてもゾーン１０の照明ランプ９が消灯しないとき、表示画面において、４月３日、７時５分２２秒に壁スイッチ（３１）７から消灯の制御要求が出力され、動作状態が点灯、動作結果が異常であることを確認することができる。壁スイッチ（３１）７が消灯操作され、主制御装置２から消灯信号が制御端末器６に出力されていることから、制御端末器６の制御に異常があり、例えば制御端末器６が故障していると推定される。
【００３７】
また、壁スイッチ７、主制御装置２の操作スイッチおよび照明統合装置４から制御要求を送出する操作を行ったときに、制御監視処理部１１から当該制御要求に応じた制御要求の送出の記録が表示部１７の表示画面に表示されていないと、壁スイッチ７、操作スイッチおよび照明統合装置４からの制御要求が制御監視処理部１１に入力されておらず、壁スイッチ７、操作スイッチおよび照明統合装置４に不具合があると推定できる。
【００３８】
そして、壁スイッチ７、主制御装置２の操作スイッチおよび照明統合装置４から制御要求を送出する操作を行ったときに、制御監視処理部１１から当該制御要求に応じた制御要求の送出の記録が表示部１７の表示画面に表示されているにも係らず、当該制御要求先の照明ランプ９が点灯または消灯しないとき、動作結果に異常が表示され、制御端末器６が故障しているものと推定される。タイムスケジュール制御処理部１２および定刻制御処理部１３からの制御要求に対しても同様である。
【００３９】
上述したように、異常発生時において、表示部１７の表示画面に記憶媒体１５に記憶された制御要求元、制御端末器先、制御要求の内容および動作状態などを日時とともに読み出して視認し、確認することにより、制御要求元、制御端末器先および制御要求の内容などのどこに異常の原因があるかを特定することができる。この結果、異常発生時に、直ちに対策を立て、通常状態に復帰させることができる。
【００４０】
そして、記憶媒体１５に記憶された制御要求元、制御端末器先、制御要求の内容および動作状態などは、表示部１７の表示画面において、時系列的に、図４（ａ）に示す単画面または図４（ｂ）に示す２分割されたそれぞれの画面に表示させることができる。あるいは、表示部１７の表示画面を、図４（ｃ）に示すように４分割または図４（ｄ）に示すように６分割して、制御要求元毎に表示させることができる。すなわち、分割された表示画面に、順次、壁スイッチ７、照明統合装置４、主制御装置２の操作スイッチ、タイムスケジュール制御および定刻制御などに対する前記イベント内容を表示させることができる。
【００４１】
表示画面の分割は、表示画面に表示されたメニューの中から、図５（ａ）に示すように、例えばマウスを用いて画面分割メニューを選択し、さらに表示画面の分割数を選択する。
【００４２】
また、表示画面に表示されたメニューの中から、図５（ｂ）に示すように、グラフィック画面メニューを選択すると、照明制御システム１の配置図や接続図、主制御装置２の構成図や接続図、制御監視処理部１１等の回路図などを選択して、表示画面に表示させることができる。
【００４３】
そして、表示画面に表示されたメニューの中から、図５（ｃ）に示すように、一覧表画面メニューを選択すると、記憶媒体１５に記憶された制御要求元、制御端末器先、制御要求の内容および動作状態などを日時とともに、時系列的にまたは制御要求元毎に表示画面に表示させることができる。
【００４４】
そして、表示部１７の分割された表示画面に、記憶媒体１５に記憶された制御要求元、制御端末器先、制御要求の内容および動作状態などとともに、照明制御システム１の配置図や接続図または主制御装置２の構成図や接続図などを表示させることにより、必要な情報が同時に目視されるようになる。この結果、異常発生時の原因の特定が容易になる。
【図面の簡単な説明】
【００４５】
【図１】本発明の一実施の形態を示す照明制御システムのブロック図。
【図２】同じく、主制御装置のブロック図。
【図３】同じく、表示画面に表示されたイベント情報の表示図。
【図４】同じく、表示画面の画面分割図。
【図５】同じく、表示画面のドロップダウンメニュー図。
【符号の説明】
【００４６】
１…照明制御システム
２…主制御装置
４…照明統合装置
１１…制御手段としての制御管理処理部
１２…制御手段としてのタイムスケジュール制御処理部
１３…制御手段としての定刻制御処理部
１４…制御確認手段としての履歴管理処理部
１５…記憶手段としての記録媒体
１７…表示手段としての表示部
【図１】
2005267924.tif 000003
【図２】
2005267924.tif 000004
【図３】
2005267924.tif 000005
【図４】
2005267924.tif 000006
【図５】
2005267924.tif 000007